(57)【要約】 【課題】  チップセットカップリング台座の上にチップセットを確実に取り付けることができ、またヒートシンクが取り外される時にチップセットの損傷を防ぐことができるチップセットのカップリング装置を提供する。【解決手段】本考案は、プリント回路基板のチップセットカップリング台座の上に取り付けられたチップセットのカップリング装置は押付板を含み、それはチップセットの冷却部をそこを通して出すことができる開口部を有している。その押付板はそれぞれ対応して留め具を有しチップセットカップリング台座の上で嵌合する。その押付板はチップセットのピン基板を押すことができ、留め具とチップセットカップリング台座を嵌合状態にすることができ、それによりチップセットを同時に取り外すことなく、ヒートシンクをチップセットから取り外すことができ、チップセット上のピンの損傷を避けることができる。  【選択図】  図１  
0003112731.tif 000002
【実用新案登録請求の範囲】
【請求項１】
プリント回路基板上に設けられたチップセットカップリング台座にラッチフックがそれぞれ対応して設けられており、該チップセットがピン基板と冷却部を有し、その冷却部が該ピン基板の上面から突出して設けられており、ピン基板表面の周りにカップリングが形成されているチップセットを固定するカップリング装置であって、
押付部と分けられた開口部を有する押付板と、
押付板の反対側２ヶ所にそれぞれ形成され、であって、それぞれがラッチフックに対応するラッチ受けを有しており、チップセットがチップセットカップリング台座に挿入された時に、押付部がカップリング面を押して冷却部が開口部から出て、ラッチフックがラッチ受けと連結して、押付板がチップセットカップリング台座に嵌合することができる２つの留め具と、
押付板の片側にある留め具の隣接する所に位置しており、ユーザーの力を受けて押付板を持ち上げ変形させラッチフックとラッチ受けの間のカップリングを解除できるレバー部と
を含むチップセットのカップリング装置。
【請求項２】
前記チップセットのカップリング装置がプレスと折り曲げにより製造されていることを特徴とする請求項１に記載のチップセットのカップリング装置。
【請求項３】
前記留め具の１つがレバー部に接続していることを特徴とする請求項１に記載のチップセットのカップリング装置。  
【請求項４】
前記押付板は留め具の近隣部に保持壁が設けられていることを特徴とする請求項１に記載の チップセットのカップリング装置。  
【考案の詳細な説明】
【技術分野】
【０００１】
本考案は、 コンピュータ用マザーボードなどのプリント回路基板を有する電子製品に使用されるカップリング装置に関するもので、特にピンに損傷を与えずにチップセットを取り外すためのカップリング装置に関するものである。
【背景技術】
【０００２】
電子技術の急速な発展と進歩により、デスクトップあるいはノートブックコンピュータの性能が目覚しく向上している。現在ではこういったコンピュータは会社、企業、消費者により広く使用されている。これらの電子製品の優秀な性能は中央処理装置(CPU)などに使用される高性能のチップセットに主として依存している。半導体製造技術の進歩により、チップセットのサイズはこの数年あまり大きくなってこなかった。しかし、チップセット内のトランジスタの数は何倍にも多くなってきている。現在ではチップセットの製造の仕様はミクロン、ナノメーターのレベルとなってきており、1つのチップセット内のトランジスタの数は数億個以上にもなることがある。
【０００３】
動作用のクロックとチップセットのトランジスタの数が絶えず増大しているため、チップセットの電力消費と動作温度もまた増大している。現在ではチップセットの多くが、ファンを利用した空冷方式か、低沸点の液体を使用した水冷方式を用い、動作中に発生した高温を伝導、発散してチップセットの過熱や損傷を防いでいる。 
【０００４】
チップセットは、マザーボードなどのプリント回路基板(PCB)上に実装されている。PCBは、チップセットを受けるための専用のチップセットカップリング台座を有している。そして、ファン式や水冷式のヒートシンクがチップセットの上部に取り付けられており、熱エネルギーを外部に移しチップセットの温度を減少させる。
【０００５】
チップセットにより発生した熱エネルギーは動作中に絶えず増加するため、チップセットとヒートシンクの接触面積もまた増加している。ヒートシンクとチップセットとのカップリングは多くは粘着性のある熱放散用のペーストを通して行われている。ヒートシンクとチップセットの接触面積を増加するとまた粘着力も増加する。チップセットの組立て時にチップセットをヒートシンクから外すことがよくある。これは力を加える作業で、チップセットのピンが曲がったり、あるいは折れたりすることもよくある。チップセットが損傷を受け使用できなくなることもある。
【特許文献１】記載なし。
【考案の開示】
【考案が解決しようとする課題】
【０００６】
前記の問題点を鑑み、本考案は、チップセットカップリング台座の上にチップセットを確実に取り付けることができ、またヒートシンクが取り外される時にチップセットの損傷を防ぐことができ、その構造が簡単であるため低コストで製造することができ、また取付けも容易であるチップセットのカップリング装置を提供する。
【課題を解決するための手段】
【０００７】
本考案は、以下の各考案によってそれぞれ達成される。
【０００８】
（１）プリント回路基板上に設けられたチップセットカップリング台座にラッチフックがそれぞれ対応して設けられており、該チップセットがピン基板と冷却部を有し、その冷却部が該ピン基板の上面から突出して設けられており、ピン基板表面の周りにカップリングが形成されているチップセットを固定するカップリング装置であって、押付部と分けられた開口部を有する押付板と、
押付板の反対側２ヶ所にそれぞれ形成され、であって、それぞれがラッチフックに対応するラッチ受けを有しており、チップセットがチップセットカップリング台座に挿入された時に、押付部がカップリング面を押して冷却部が開口部から出て、ラッチフックがラッチ受けと連結して、押付板がチップセットカップリング台座に嵌合することができる２つの留め具と、
押付板の片側にある留め具の隣接する所に位置しており、ユーザーの力を受けて押付板を持ち上げ変形させラッチフックとラッチ受けの間のカップリングを解除できるレバー部とを含むチップセットのカップリング装置。
（２）前記チップセットのカップリング装置がプレスと折り曲げにより製造されていることを特徴とする前記第１項に記載のチップセットのカップリング装置。
（３）前記留め具の１つがレバー部に接続していることを特徴とする前記第１項に記載のチップセットのカップリング装置。  
（４）前記押付板は留め具の近隣部に保持壁が設けられていることを特徴とする請求項１に記載の チップセットのカップリング装置。
本考案のチップセットのカップリング装置は、マザーボードなどを有するパーソナルコンピュータ、ノートブックコンピュータ、サーバなどのコンピュータ機器に使用されるプリント回路基板（ＰＣＢ）に適用することができる。該PCBは、チップセットの挿入を受けるチップセットカップリング台座を有する。該チップセットカップリング台座は、２つのラッチフックを反対側２ヶ所に有する。該チップセットは、ピン基板と冷却部を含む。その冷却部は、ピン基板の上部に出っ張った形で位置している。ピン基板は、上面側にカップリング面を有する。本発明のチップセットのカップリング装置は押付板を含み、それは押付部と分けられた開口部を有する。押付板は対応した箇所に留め具を有する。それぞれの留め具はラッチフックに対応したラッチ受けを有する。チップセットがチップセットカップリング台座に挿入された時、押付部はカップリング面を押し、冷却部は開口部を通り抜ける。ラッチフックとラッチ受けは、チップセットカップリング台座の上で連結し押付板を嵌合させる。押付板は、ユーザーからの力を受けるために片側留め具の近傍にレバー部を有し、押付板が僅かに変形してラッチフックとラッチ受けの連結状態を解除することができる。 
【考案の効果】
【０００９】
本考案は、ピン基板のカップリング面上の押付板を押し、留め具をチップセットカップリング台座のラッチフックと連結することにより、ヒートシンクがチップセットから取り外される時に、チップセットが同時に取り外されることを防ぐことができる。従って、チップセット上のピンの曲がりや折れなどの損傷を避けることができ、チップセットを所望通り保護する機構が提供される。
【００１０】
本考案の目的、構造、特徴、およびその機能をより分かりやすくするために、次に実施例を用いてこれらを詳しく説明する。
【考案を実施するための最良の形態】
【００１１】
図１から３について述べると、本考案のチップセットのカップリング装置は、主にパーソナルコンピュータ、ノートブックコンピュータ、サーバなどを含む様々なコンピュータのマザーボードなどのプリント回路基板 (PCB) 上に使用されている。 
【００１２】
PCB は、チップセット40が挿入されるチップセットカップリング台座30を有する。チップセットカップリング台座30は、第１のラッチフック31と第２のラッチフック32を台座の側面にそれぞれ対応して有し、チップセット40のピン43に対応した穴33を有する。チップセット40は、ピン基板41と冷却部42を含んでいる。ピン基板41は、チップセットカップリング台座30に対応する側に、データを伝送するために穴33に挿入できるピン43を有する。冷却部42は、ピン基板41の上部に突出に設けられている。ピン基板41表面の周りは、カップリング面410が形成されている。ファンを含む場合もあるヒートシンクは、チップセット40から熱エネルギーを移すために冷却部42の上面側に接合している。
【００１３】
本考案のチップセットのカップリング装置は、プレスと折り曲げにより製造される。それは押付板10と、第１の留め具13と、第２の留め具14と、レバー部15とを含む。押付板10は、その押付板10の上で押付部12と開口部11を有する。第１の留め具13と第２の留め具14は、それぞれ押付板10に対向して位置している。第１の留め具13と第２の留め具14は、それぞれ第１のラッチ受け130と第２のラッチ受け140を有し、それらは第１のラッチフック31と第２のラッチフック32に対応している。レバー部15は押付板10の片側に位置し、第１の留め具13に隣接している。実際的には、第１の留め具13はレバー部15と一体に形成されている。押付板10はさらに、保持壁16をもう一方の側に第２の留め具14に隣接して有しており、チップセットカップリング台座30上に押付板10を揃えて位置決めすることを容易にしている。チップセット40がチップセットカップリング台座30に挿入された後、押付板10の押付部12を置いてチップセット40のカップリング面410を押すことができ、冷却部42を開口部11から出すことができる。ラッチフック31と32はラッチ受け130と140に嵌り、そうして押付板10はチップセットカップリング台座30に嵌ることができる。従って、ヒートシンク(図面には示されていない)をチップセット40の上面から取り外した時もチップセット40は、押付板10とチップセットカップリング台座30の間の嵌合関係によりチップセットカップリング台座30対して確実に固定されており、ヒートシンクとともに取り外されてしまうことはない。 
【００１４】
図４について述べると、本発明のチップセットのカップリング装置を取り外すには、レバー部15に力を加え、押付板10を僅かに持ち上げて変形させると、第１のラッチフック31は第１のラッチ受け130から解除され、そしてチップセットのカップリング装置をチップセットカップリング台座 30から取り外すことができるようになる。 
【００１５】
本考案は、押付板10をチップセット40のピン基板41のカップリング面410に押し付け、さらに留め金13と14およびラッチフック31と32の間で嵌合を行うことで確実なカップリングを提供する。こうして、チップセット40の上のヒートシンクが取り外された時も、チップセット40は取り外されることなく嵌合した状態にある。従って、チップセット40上のピン 43の曲がりや折れを避けることができ、チップセット40を所望通りに保護することができる。構造は簡単で、組立てと取り外しも容易で、製造コストが安価である。それにより従来の技術より大幅な改善がなされる。
【００１６】
本考案の好ましい実施例を詳述してきたが、本考案の開示した実施例の修正やその他の実施例も技術に習熟したものには可能であろう。従って、添付の請求範囲には本考案の意図や範囲を逸脱しないすべての実施例を含むことが意図されている。
【図面の簡単な説明】
【００１７】
【図１】本考案のカップリング装置の概略図である。
【図２】本考案のカップリング装置の分解図である。
【図３】本考案のカップリング装置の組立て後の概略図である。
【図４】本考案カップリング装置の操作状態の概略図である。
【符号の説明】
【００１８】
１０  押付板
１１  開口部
１２  押付部
１３  留め具
１３０  第1のラッチ受け
１４  留め具
１４０  第２のラッチ受け
１５  レバー部
１６  保持壁
３０  チップセットカップリング台座
３１  第1のラッチフック
３２  第２のラッチフック
３３  穴
４０  チップセット
４１  ピン基板
４１０  カップリング面
４２  冷却部
４３  ピン
【図１】
0003112731.tif 000003
【図２】
0003112731.tif 000004
【図３】
0003112731.tif 000005
【図４】
0003112731.tif 000006